(57)【要約】【課題】袋体の開口近傍部に対する口紐の取付け方を工夫することにより、口紐で開口を閉じた際、袋体の形ができるだけ崩れないようにした土木用袋と、その土木用袋を防草袋として利用することにより、防草袋をできるだけ隙間なく且つ均一な厚さに敷き並べることができるようにした防草方法を提供する。【解決手段】四角形の袋体１における開口２近傍部に、互いに対面する両側の布状部材１ａ，ｂにわたってループ状に口紐３を挿入して成る土木用袋に、木材チップａを充填して防草袋Ａを構成し、この防草袋Ａを地面に隙間なく敷き並べることにより、地表を日光から遮断して、袋下での雑草木の発芽、生長を抑制する。【選択図】        図１
2004332249.tif 000002
【特許請求の範囲】
【請求項１】
四角形の袋体における開口近傍部に、互いに対面する両側の布状部材にわたってループ状に口紐を挿入して成る土木用袋。
【請求項２】
ループ状の口紐が袋体の幅方向に間隔をあけて複数本設けられている請求項１に記載の土木用袋。
【請求項３】
請求項１又は２に記載の土木用袋に木材チップを充填して成る防草袋を地面に敷き並べることにより、地表を日光から遮断して防草するようにしたことを特徴とする防草方法。
【発明の詳細な説明】
【０００１】
【発明の属する技術分野】
本発明は、土木用袋とそれを用いた防草方法に関するものである。
【０００２】
【従来の技術】
【特許文献１】
実開平４−９９７３３号公報
【０００３】
一辺が開口した四角形の袋体１と、開口２を閉じるための口紐３とで構成される一般的な土のう型の土木用袋は、図５に示すように、開口２近傍部に、開口２全周を取り囲むようなループ状に口紐３を刺し通すか、開口２に沿って形成した折り返し部に口紐３を挿入するかされており、口紐３を引くことにより、開口２全周を絞るように、換言すれば、袋体１に積極的に襞状の皺５を作って開口２を閉じるように構成されていた。
【０００４】
従って、袋体１に土などを充填して、開口２を閉じた状態においては、図６に示すように、袋の底部側（開口と反対側）では袋体の四角形が概ね保持されるが、開口側では、襞状の皺５があり、丸みのある肉厚の形状に成らざるを得ない。
【０００５】
そのため、例えば、内部に植生基材を充填し、法面に敷き並べて、法面を緑化する植生土のう袋として用いたり、あるいは、内部に木材チップを充填して、植林地などに敷き並べ、地表を日光から遮断することによって雑草木の生長を抑制する防草袋として利用する場合、図７に示すように、丸みのある肉厚形状部分の間に大きな隙間Ｓが生じることになり、これらの袋を隙間なく且つ均一な厚さに敷き並べることができないという問題点があった。
【０００６】
尚、植生土のう袋の形状を一定にするために、袋体の内部に四角形の枠体を挿入することは、上記の特許文献１によって、既に知られているが、これによる場合は、四角形の枠体を挿入することにより、袋体の開口の形状が枠体で規定されて、矩形状の開口となるので、植生基材の充填作業がしにくい上、枠体を挿入する手間がかかり、施工性が悪いという問題点がある。さらに、枠体の分だけコストが係り、高価である点も問題である。
【０００７】
また、図５、図６の例では、製品長（空袋の長さ）Ｌ１  のうち、口紐３を通している位置から下の部分を充填用の内装長Ｌ２  とすると、口紐３で開口２を閉じた際、開口２全周が絞られて、襞状の皺５が寄ることにより、袋幅が狭まって、内装長Ｌ２  が減少するため、所定の充填量とするためには、この内装長Ｌ２  の目減り分Ｌ３  、製品長Ｌ１  を長く見積もらねばならず、袋体１の材料使用量が多くなるので、不経済であった。
【０００８】
【発明が解決しようとする課題】
本発明は、上記の問題点をふまえてなされたものであって、その目的とするところは、袋体の開口近傍部に対する口紐の取付け方を工夫することにより、口紐で開口を閉じた際、袋体の形ができるだけ崩れないようにした土木用袋と、その土木用袋を防草袋として利用することにより、防草袋をできるだけ隙間なく且つ均一な厚さに敷き並べることができるようにした防草方法を提供するにある。
【０００９】
【課題を解決するための手段】
上記の課題を解決するために、本発明が講じた技術的手段は、次のとおりである。即ち、請求項１に記載の発明による土木用袋は、四角形の袋体における開口近傍部に、互いに対面する両側の布状部材にわたってループ状に口紐を挿入したとを特徴としている。
【００１０】
口紐は１本でもよく、請求項２に記載の発明のように、袋体の幅方向に間隔をあけて複数本設けられていてもよい。即ち、ループ状に口紐を通すための紐孔間の幅を、口紐を縛った際に袋体に大きく皺が寄らない程度の長さに止める一方、袋幅（開口の長さ）に応じてループ状に通す口紐の本数を増減することが望ましい。
【００１１】
上記の構成によれば、口紐が互いに対面する両側の布状部材にわたってループ状に挿入されているので、口紐を片側の布状部材の外側へ引き出すことによって、互いに対面する両側の布状部材が互いに引き寄せられ、開口が閉じられることになるが、開口全周が袋幅方向に絞り込まれない。
【００１２】
従って、例えば、片側の布状部材の外側へ引き出したループ状の口紐に結び瘤を作ったり、隣合うループ状の口紐同士を互いに結び付けたりして、口紐を引き出した状態に縛ることで、袋体開口側の変形をできるだけ少なくした状態に、開口を閉じることができる。
【００１３】
また、口紐で開口を閉じた際、開口全周が絞られる場合よりも、内装長の目減りが少ないため、内装長に対して製品長を必要以上に大きく取る必要がなく、袋体に使用する部材使用量が少なくて済み、経済的である。
【００１４】
袋内に、土砂、植生基材、木材チップ等を充填する際、ループ状の口紐の一部が開口を横切った状態に位置することになるが、開口を横切るものが紐に過ぎないため、充填の障害物にならず、一般的な土のう袋と同じように取り扱うことができ、殊に、ループ状の口紐の長さを開口の周長と同程度に設定しておけば、口紐のループを袋体の内面に沿わせた状態に拡げて、充填作業を行うことが可能である。
【００１５】
袋体の素材としては、土木用袋の用途に応じて適宜選択できるが、内部に植生基材を充填し、法面に敷き並べて、法面を緑化する植生土のう袋として用いたり、内部に木材チップを充填して、植林地などに敷き並べ、地表を日光から遮断することによって雑草木の生長を抑制する防草袋として利用する場合には、袋体を生分解性の素材で構成することが望ましい。
【００１６】
請求項３に記載の発明による防草方法は、請求項１又は２に記載の土木用袋に木材チップを充填して成る防草袋を地面に敷き並べることにより、地表を日光から遮断して防草するようにしたことを特徴としている。木材チップとしては、大量入手が可能で、しかも、処理に困窮している間伐材や枝打ちされた廃材等をチップ化したものが使用される。また、木材チップは、防草袋内で流動性が得られる程度に充填することが望ましい。
【００１７】
この構成によれば、口紐で袋の開口を閉じた際、袋の形がさほど崩れないので、つまり、開口全周が絞られる場合のように開口側が丸みのある肉厚形状にならないので、木材チップの充填された防草袋をできるだけ隙間なく且つ均一な厚さに敷き並べることができ、従って、木材チップを充填した防草袋の遮光性能が十分に発揮され、遮光による雑草木の生長抑制を効果的に行えることになる。
【００１８】
殊に、袋体が生分解性の素材で構成されていると、木材チップだけでなく、袋体までが分解して土に帰るため、袋体の撤去作業が不要になる点で、好ましい。また、袋体を形成する布状部材として、耐通芽性を持つ布状部材（例えば、不織布、目合いが１ｍｍ以下のネットや織布等）を用いると、木材チップを充填した防草袋が持つ遮光性により、袋下での雑草木の発芽、生長を抑制できるばかりでなく、日光がなくとも生長可能な地下茎から出芽した草本の生長を、布状部材が持つ耐通芽性により、抑制できることになる。
【００１９】
【発明の実施の形態】
図１、図２は、本発明に係る土木用袋の一例を示す。この土木用袋は、四角形の袋体１における開口２近傍部に、互いに対面する両側の布状部材１ａ，１ｂにわたってループ状に口紐３を挿入して成り、ループ状の口紐３は、袋体１の幅方向に間隔をあけて複数本（図示の例では２本）設けられている。ループ状に口紐３を通すための紐孔４ａ，４ｂは袋体１の開口２縁と平行に配置されている。紐孔４ａ，４ａ間の幅および紐孔４ｂ，４ｂ間の幅は、互いに同一である。これらの紐孔間の幅は、狭い程、口紐３を縛った際に袋体１に皺が寄らないが、開口２を横切る口紐３の間隔が狭くなるので、口紐３を縛った際に袋体１に大きく皺が寄らない程度の長さ（例えば３ｃｍ〜１０ｃｍ程度）に止める一方、袋幅（開口の長さ）に応じてループ状に通す口紐３の本数を増減することが望ましい。
ループ状の口紐３の長さは、任意に設定できるが、あまり短いと開口２を大きく拡げることができず、長過ぎると邪魔になるので、開口２の周長の半分以上で、周長以下程度の長さに設定することが望ましい。
【００２０】
袋体１の素材としては、土木用袋の用途に応じて適宜選択できるが、この例では、後述するとおり、内部に木材チップを充填して、植林地などに敷き並べ、地表を日光から遮断することによって雑草木の生長を抑制する防草袋として用いるので、袋体１や口紐２を生分解性の素材で構成することが望ましい。
【００２１】
生分解性の素材としては、麻やヤシ繊維などの天然繊維、ポリ乳酸樹脂などの生分解性樹脂繊維、レーヨンなどの化学繊維等が採用でき、袋体１を形成する布状部材１ａ，１ｂとしては、織布、不織布、ネットなど種々の形態を採用できる。何れを採用するにしても、内部に充填する木材チップの分解期間が概ね５年〜７年であり、また植林後、５年以降は下草が繁茂しにくくなることから、野外で施工後、５〜１０年程度で分解するように構成することが望ましい。
【００２２】
上記の構成によれば、口紐３が互いに対面する両側の布状部材１ａ，１ｂにわたってループ状に挿入されているので、口紐３を片側の布状部材（１ａ又はｂ）の外側へ引き出すことによって、互いに対面する両側の布状部材１ａ，１ｂが互いに引き寄せられ、開口２が閉じられることになるが、開口２全周が袋幅方向に絞り込まれない。
【００２３】
従って、図２に示すように、片側の布状部材１ａ又は１ｂの外側へ引き出したループ状の口紐３に結び瘤３ａを作ったり、隣合うループ状の口紐３同士を互いに結び付けたりして、口紐３を引き出した状態に縛ることで、袋体１の開口２側の変形をできるだけ少なくした状態に、開口２を閉じることができる。
【００２４】
また、口紐３で開口２を閉じた際、開口２全周が絞られる場合よりも、内装長Ｌ２  の目減りＬ３  が少ないため、内装長Ｌ２  に対して製品長Ｌ１  を必要以上に大きく取る必要がなく、袋体１に使用する部材使用量が少なくて済み、経済的である。
【００２５】
図３、図４は、本発明に係る防草方法の一例を示す。この防草方法は、上記の土木用袋に、木材チップａを充填して防草袋Ａを構成し、この防草袋Ａを苗木Ｂの周囲の地面に敷き並べることにより、地表を日光から遮断して防草するようにした点に特徴がある。
【００２６】
尚、木材チップａとしては、間伐材や枝打ちされた廃材等をチップ化したものが使用されており、防草袋Ａ内で流動性が得られる程度に充填されている。防草袋Ａには、木材チップａだけでなく、ノウサギやノネズミ、虫などの動物を忌避するための忌避剤、除草剤、重量を増すための小石等のうちの任意の一種又は数種を混合して充填してもよい。
【００２７】
この構成によれば、口紐３で袋の開口２を閉じた際、袋の形がさほど崩れないので、つまり、開口全周が絞られる場合のように開口側が丸みのある肉厚形状にならないので、木材チップａの充填された防草袋Ａを、図４に示すように、できるだけ隙間なく且つ均一な厚さに敷き並べることができる。
【００２８】
従って、木材チップａを充填した防草袋Ａの遮光性能が十分に発揮されることになり、遮光による雑草木の生長抑制を効果的に行えるのである。
【００２９】
尚、図３、図４の例では、袋体１を形成する布状部材１ａ，１ｂとして、木材チップａが洩れ出ない程度の目合いを有するヤシネットが使用されているが、生分解性の素材から成る耐通芽性のある緻密な布状部材、例えば、不織布、目合いが１ｍｍ以下のネットや織布を使用してもよい。このような布状部材で袋体１を形成すれば、木材チップａを充填した防草袋Ａが持つ遮光性により、袋下での雑草木の発芽、生長を抑制できるばかりでなく、日光がなくとも生長可能な地下茎から出芽した草本の生長を、布状部材１ａ，１ｂが持つ耐通芽性により、抑制できることになる。また、土のう袋として使用する際には、袋体の形が崩れず且つ厚みが一定となるため、従来よりも隙間無く段積みが可能となるのである。
【００３０】
【発明の効果】
本発明によれば、以上のように、袋体の開口近傍部に対する口紐の取付け方を工夫したので、口紐で開口を閉じた際、袋体の形ができるだけ崩れないようにした土木用袋が得られ、その土木用袋を、木材チップを充填した防草袋として利用することにより、防草袋をできるだけ隙間なく且つ均一な状態に敷き並べることができ、木材チップを充填した防草袋の遮光性能が十分に発揮され、遮光による雑草木の生長抑制を効果的に行える等の効果がある。
【図面の簡単な説明】
【図１】本発明に係る土木用袋の空の状態における斜視図である。
【図２】本発明に係る土木用袋に木材チップ等を充填し、口紐で開口を閉じた状態における斜視図である。
【図３】本発明に係る防草方法の説明図である。
【図４】防草袋を敷き並べた状態における斜視図である。
【図５】従来の土木用袋の空の状態における斜視図である。
【図６】従来の土木用袋に木材チップ等を充填し、口紐で開口を閉じた状態における斜視図である。
【図７】従来の防草袋を敷き並べた状態における斜視図である。
【符号の説明】
Ａ…防草袋、ａ…木材チップ、１…袋体、１ａ，１ｂ…布状部材、２…開口、３…口紐。
【図１】
2004332249.tif 000003
【図２】
2004332249.tif 000004
【図３】
2004332249.tif 000005
【図４】
2004332249.tif 000006
【図５】
2004332249.tif 000007
【図６】
2004332249.tif 000008
【図７】
2004332249.tif 000009